(57)【要約】【課題】電球の口金部分も含めてしっかり保護され、ケースのサイズを小さくしてケースの素材を節約しコストダウンできる電球包装用ケースを提供する。【解決手段】二個の電球Ｒをそれぞれ天地逆にして並列し、その電球Ｒを囲む第一乃至第四片１１〜１４、さらに、上記第三片１３の１／２幅の第五片１５、上記第四片１４より僅かに狭い幅で電球間を仕切る第六片１６および糊代片１７を、互いに折り畳み線ｆを介して連設し、上記第一片の上縁に差し込み片２１を有する蓋フラップ２０を、折り畳み線ｊを介して連設し、上記第四片１４の上縁から糊代片１７上縁までの間で上記差し込み片２１が干渉しないように段差Ｄを形成し、上記第四片１４下縁から第六片１６の下縁に亘って、第一・第三片１１，１３の下縁に連設した底閉塞フラップ１８ａ，１８ｂが干渉しないように段差Ｅを形成したものである。【選択図】図１
2006008143.tif 000002
【特許請求の範囲】
【請求項１】
二個の電球を並列して収容する電球包装用ケースにおいて、二個の電球をそれぞれ天地逆にして並列し、その電球の前面と背面を覆う第一・第三片、左右側面を覆う第二・第四片、さらに、上記第三片の１／２幅の第五片、上記第四片より僅かに狭い幅で電球間を仕切る第六片および糊代片を、互いに折り畳み線を介して連設し、上記第一片の上縁に差し込み片を有する蓋フラップを、折り畳み線を介して連設し、上記第四片上縁から糊代片上縁までの間で上記差し込み片が干渉しないように段差を形成し、上記第四片下縁から第六片下縁に亘って、第一・第三片の下縁に連設した底閉塞フラップが干渉しないように段差を形成したことを特徴とする電球包装用ケース。
【請求項２】
上記第四片上縁から上記糊代片上縁までの間で形成する段差を、第五片上縁の下向き傾斜と第六片上縁と糊代片上縁間の段差の合計が、上記蓋フラップの差し込み片の高さと同一または僅かに大きくし、上記第四片下縁から第六片下縁に亘る段差を、上記底閉塞フラップの高さと同一または僅かに大きくしたことを特徴とする請求項１に記載の電球包装用ケース。
【請求項３】
上記第二・第四片上部の、いずれか一方に、折り畳み線間の長さを底辺とする二等辺三角形を、他方に、折り畳み線間の長さを底辺とする二等辺台形を、その底辺が各片の上縁と平行なライン上に位置するように形成し、上記第六片の上縁は、上記二等辺三角形・二等辺台形の底辺延長線に一致または下にあることを特徴とする請求項１または２に記載の電球包装用ケース。
【請求項４】
上記電球間仕切りとなる第六片に電球の球面を受け入れる円弧状スリットを設けたことを特徴とする請求項１乃至３のいずれかに記載の電球包装用ケース。
【請求項５】
一個の電球の周囲を囲む第一乃至第四片と糊代片とを折り畳み線を介して連設し、第二・第四片の上部に、折り畳み線間の長さを底辺とする二等辺三角形を、その底辺が各片上縁と平行な同一ライン上に位置するように形成し、第一乃至第四片の下縁に底フラップを、折り畳み線を介して連設し、第三片の上部に下記条件に適合した土字形で第三画に相当する横線の端が鉤形のスリットを設け、第一片の上縁に下記条件に適合した蓋フラップを、折り畳み線を介して設け、該蓋フラップ内に帽子形のハーフカットと吊り下げ用の切抜きと、両端が鉤形に折れ、中央上方向に角を出した半径ｒのスリットを形成したことを特徴とする電球包装用ケース。
記
１）．ｈ2≫Ｗ      ２）．Ｒ≧ｒ      ３）．Ｈ＝ｈ      ４）．Ｗ1＝ｗ1
５）．ｈ3＝１／２・ｈ2
【請求項６】
上記第一片と上記蓋フラップ間の折り畳み線上に、第一片上端に形成した半円形ハーフカットに続き両端に届かないハーフカットを形成し、帽子形ハーフカットの両端を釣針状にし、帽子形の下端を結ぶ線上に、中央にスリットを形成した折り畳み線を設けたことを特徴とする請求項５に記載の電球包装用ケース。
【発明の詳細な説明】
【技術分野】
【０００１】
この発明は電球包装用ケースに関する。
【背景技術】
【０００２】
電球包装用ケースは、一個の電球を包装するケースと二個の電球を纏めて包装するケースとがあり、一個の電球を包装するケースは、電球の周りを囲む第一乃至第四片と、上記第四片の次に糊代片を互いに折り畳み線を介して設け、上記第一乃至第四片の下縁には底フラップと、上記第一片の上縁には差し込み片を先端に設けた蓋フラップが折り畳み線を介して連設した展開形状のブランクの要所を糊付けし、箱起こしをして電球を収容するものである。
【０００３】
また、二個の電球を包装するケースは、口金を上にして並列した電球の前面と背面を覆う第一・第三片と、口金を上にして並列した電球の両側を覆う第二・第四片、および糊代片を互いに折り畳み線を介して連設し、上記第一乃至第四片の下縁に箱起こし時閉塞形底フラップを、折り畳み線を介して連設し、上記第一片の上縁には差し込み片を先端に設けた蓋フラップを、折り畳み線を介して連設し、さらにケースを畳んだとき箱起こし時閉塞形底フラップが干渉しないようにした仕切り片を、口金を上にして並列した電球の間に介在するようにしたものである。
【発明の開示】
【発明が解決しようとする課題】
【０００４】
上記従来の電球包装用ケースにおいて、一個の電球を包装するケースでは、電球の球の
部分は、ケースの内側にほぼぴったり接しているが、口金の周りに大きな隙間があって口金部分が揺動して電球の品質を保持する上で好ましい状態ではない。
【０００５】
また、二個の電球の口金を上にし、並列して包装するケースでは、前述と同様、口金の周りに大きな隙間があって口金部分が揺動して電球の品質を保持する上で好ましい状態ではなく、また、外径の大きい球の部分が突き合っているのでケースが大きくなる問題がある。
【０００６】
上記状況に鑑みこの発明は、電球の包装において、電球の口金部分も含めてしっかり保護し、ケースのサイズをできるだけ小さくしてケースの素材を節約しコストダウンできる電球包装用ケースを提供することを課題とする。
【課題を解決するための手段】
【０００７】
上記課題を解決するために、請求項１の発明は、二個の電球を並列して収容する電球包装用ケースにおいて、二個の電球をそれぞれ天地逆にして並列し、その電球の前面と背面を覆う第一・第三片、左右側面を覆う第二・第四片、さらに、上記第三片の１／２幅の第五片、上記第四片より僅かに狭い幅で電球間を仕切る第六片および糊代片を、互いに折り畳み線を介して連設し、上記第一片の上縁に差し込み片を有する蓋フラップを、折り畳み線を介して連設し、上記第四片上縁から糊代片上縁までの間で上記差し込み片が干渉しないように段差を形成し、上記第四片下縁から第六片下縁に亘って、第一・第三片の下縁に連設した底閉塞フラップが干渉しないように段差を形成したものである。
【０００８】
請求項２の発明は請求項１の発明を具体化したもので、上記第四片上縁から上記糊代片上縁までの間で形成する段差を、第五片上縁の下向き傾斜と第六片上縁と糊代片上縁間の段差の合計が、上記蓋フラップの差し込み片の高さと同一または僅かに大きくし、上記第四片下縁から第六片下縁に亘る段差を、上記底閉塞フラップの高さと同一または僅かに大きくしたものである。
【０００９】
請求項３の発明は請求項１および２の発明に次の要件を付加したもので、上記第二・第四片上部の、いずれか一方に、折り畳み線間の長さを底辺とする二等辺三角形を、他方に、折り畳み線間の長さを底辺とする二等辺台形を、その底辺が各片の上縁と平行なライン上に位置するように形成し、上記第六片の上縁は、上記二等辺三角形・二等辺台形の底辺延長線に一致または下にあるようにしたものである。
【００１０】
また、請求項４の発明は請求項１乃至３の発明に次の要件を付加したもので、上記電球間仕切りとなる第六片に電球の球面を受け入れる円弧状スリットを設けたものである。
【００１１】
請求項５の発明は、一個の電球の周囲を囲む第一乃至第四片と糊代片とを折り畳み線を介して連設し、第二・第四片の上部に、折り畳み線間の長さを底辺とする二等辺三角形を、その底辺が各片上縁と平行な同一ライン上に位置するように形成し、第一乃至第四片の下縁に底フラップを、折り畳み線を介して連設し、第三片の上部に下記条件に適合した土字形で第三画に相当する横線の端が鉤形のスリットを設け、第一片の上縁に下記条件に適合した蓋フラップを、折り畳み線を介して設け、該蓋フラップ内に帽子形のハーフカットと吊り下げ用の切抜きと、両端が鉤形に折れ、中央上方向に角を出した半径ｒのスリットを形成したものである。
記
１）．ｈ2≫Ｗ      ２）．Ｒ≧ｒ      ３）．Ｈ＝ｈ      ４）．Ｗ１＝ｗ1
５）．ｈ3＝１／２・ｈ2
【００１２】
請求項６の発明は請求項５の発明を具体化したもので、上記第一片と上記蓋フラップ間の折り畳み線上に、第一片上端に形成した半円形ハーフカットに続き両端に届かないハーフカットを形成し、帽子形ハーフカットの両端を釣針状にし、帽子形ハーフカットの下端を結ぶ線上に、中央にスリットを形成した折り畳み線を設けたものである。
【発明の効果】
【００１３】
上記の如く構成するこの発明によれば、ケースの大きさが小さくなって経済的効果が得られ、二個の電球を収容するものでは電球間に差し込まれる仕切りに球面にそったスリットが入れられているので納まりが良好で、ケースの上部を絞る形態のものでは口金部分の揺動を抑えられて電球の品質保持効果が得られる。
【００１４】
また、蓋フラップと第三片とに嵌め殺し構造を採用したので不正開封を防止することができ、開封されたときは直ちに判明するようになっている。
【発明を実施するための最良の形態】
【００１５】
次にこの発明の実施の形態を、実施例を用いて図面を参照しながら説明する。
【実施例１】
【００１６】
図１は、第一実施例で二個の電球Ｒをそれぞれ天地逆にしてケース１０内に収容（同図（ｂ）参照）し、同図（ａ）に示すように、その前面と背面を覆う第一片１１・第三片１３、両側を覆う第二片１２・第四片１４、第四片１４と電球間仕切りとなる第六片１６とを繋ぐ第五片１５と第六片１６および糊代片１７が折り畳み線ｆを介して連設されている。
【００１７】
第一乃至第四片１１，１２，１３，１４の下縁には箱起こしをすると共動して底を閉塞する底閉塞フラップ１８ａ，１８ｂと、第二片・第四片１２，１４の上縁に内側フラップ１９と、第一片１１の上縁に差し込み片２１を有する蓋フラップ２０が連設され、第三片１３の上部には半円形の切り込み２２が形成され、第六片１６の上下に電球の球面に沿ったスリット２３が形成されている。
【００１８】
上記第五片１５の上縁は第四片１４から第六片１６に向けて下向きに傾斜しており第六片１６と糊代片１７との間で段差Ｄを設けて、箱起こしをした状態で蓋フラップ２０を被せたとき差し込み片２１が干渉しないようにし、第五片１５の下縁は第四片１４から第六片１６に向けて上向きに傾斜して底閉塞フラップ１８ａ，１８ｂを畳むときに干渉しないようになっている。
【００１９】
上記展開状態のブランクの糊代片１７と底閉塞フラップの糊代１８ｃに両面接着シート（テープ）を貼り、各片と各フラップを折り畳んで接着すると電球包装用のケース１０となり、電球Ｒを天地逆にして収容した状態が同図（ｂ）の状態である。
【００２０】
なお、この実施例に係る電球包装用のケース１０の電球Ｒを包装しない前の状態は、内側フラップ１９と蓋フラップ２０は伸びており、底閉塞フラップ１８ａ，１８ｂを押し込むようにしてケース１０の前面と背面を矢印の方向に押して、底閉塞フラップ１８ａ，１８ｂを内側に、第一乃至第六片１１から１６と共に折り畳んで嵩低くしておく。なお、このとき第六片１６の下縁は、底閉塞フラップ１８ａ，１８ｂが干渉しないように段差Ｅがつけられているので問題なく畳むことがでる。
【実施例２】
【００２１】
図２は、第二実施例で第一実施例とほとんど同じで、相違するところは電球間仕切りとなる第六片１６の球面に沿ったスリット２３の位置が変化しているだけであるから説明を省略する。
【実施例３】
【００２２】
図３は、第三実施例で二個の電球Ｒをそれぞれ天地逆にしてケース１０内に収容（同図（ｂ）参照）し、同図（ａ）に示すように、その前面と背面を覆う第一・第三片１１，１３、両側を覆う第二・第四片１２，１４、第四片１４と電球間仕切りとなる第六片１６とを繋ぐ第五片１５と電球間の仕切りとなる第六片１６および糊代片１７が折り畳み線ｆを介して連設されている。
【００２３】
第一乃至第四片１１〜１４の下縁には底閉塞フラップ１８ａ，１８ｂと、第一片１１の上縁に差し込み片２１を有する蓋フラップ２０が連設され、第三片１３の上部には半円形の切り込み２２が形成され、第六片１６の下縁に電球Ｒの球面に沿ったスリット２３が形成されている。
【００２４】
上記第二片１２の上部に折り畳み線ｆ間の長さを底辺とする二等辺台形の折り畳み線２４を、上記第四片の上部に折り畳み線ｆ間の長さを底辺とする二等辺三角形の折り畳み線２５を、その底辺が各片の上縁と平行なライン上に位置するようにそれぞれ形成し、第五片１５の上縁は左下がりに傾斜し、上記第六片１６の上縁は、上記二等辺三角形、二等辺台形の底辺延長線に一致するようにし、第五片１５の下縁は左上がりに傾斜して底閉塞フラップ１８ａ，１８ｂが折り畳まれるとき干渉しないようになっている。
【００２５】
上記のように展開形状のブランクを糊代片１７と底閉塞フラップ１８ａ，１８ｂの糊代１８ｃに両面接着シート（テープ）を貼り各片と底閉塞フラップを折り畳んで要所を接着し箱起こしを行って同図（ｂ）のように電球Ｒを互いに天地逆にして収容し、上記二等辺三角形と、二等辺台形の折り畳み線２４，２５に沿って第二・第四片１２，１４の上部を折り畳み、蓋フラップ２０を折り畳んで差し込み片２１を第三片１３の内側に差し込んで電球Ｒの包装は完了する。
【実施例４】
【００２６】
次に図４乃至図６を参照しながら第四実施例を説明する。図４は、電球一個を包装するケースの展開状態のブランクで、第一乃至第四片１１〜１４と糊代片１７は互いに折り畳み線ｆを介して連設され、第一乃至第四片１１〜１４の下縁には底フラップ２６ａ，２６ｂが折り畳み線ｇを介して連設され、第一片１１の上縁には下記条件に適合した蓋フラップ２０を、折り畳み線ｊを介して設け、該蓋フラップ２０の内側に帽子形ハーフカット３０と吊り下げ用の切抜き３１と、中央上方に両端が鉤形に折れ半径ｒのスリット２９が形成され、第三片１３の上部には下記条件に適合した土字形で第三画に相当する横線スリット２７ｂの端が鉤形２７ａのスリット２７が形成されている。
記
１）．ｈ2≫Ｗ      ２）．Ｒ≧ｒ      ３）．Ｈ＝ｈ      ４）．Ｗ1＝ｗ1
５）．ｈ3＝１／２・ｈ2
【００２７】
第二・第四片１２，１４の上部には両側の折り畳み線ｆ−ｆ間の長さを底辺とする二等辺三角形の折り畳み線２５が設けられ、第一片１１の上縁の折り畳み線ｊには、その中央で半円形のミシン目またはハーフカットｋが形成され、このハーフカットに続いて折り畳み線ｊ上で両端を残してハーフカットｌが形成されている。
【００２８】
上記展開状態のブランクの糊代片１７と第一・第三片１１，１３下縁の底フラップ２６ａに両面接着シートを貼り付け、各片と底フラップを折り畳んで要所を接着して電球包装用ケース１０とし、図５（ａ）のように電球Ｒを収容し第二・第四片１２，１４上部の二等辺三角形の折り畳み線２５に沿って折り畳んでケース１０の上口を窄め、図５（ｂ）のように蓋フラップ２０の差し込み片２８を第三片１３の土字形スリット２７の第三画横線部分２７ｂに差し込み、図５（ｃ）のように半径ｒの円弧状に形成したスリット部分２９を押し込むと、その裏側に位置している第三片１３上部に形成した半径Ｒのスリット２７ｃの裏側に入り込み嵌め殺し状態となる。なお、土字状スリット２７の縦のスリット２７ｄとスリット部分２９の突き出し２９ａは、半径ｒの円弧状スリット部分２９を半径Ｒのスリット２７ｃに押し込み易くするためのもので、スリット２７ａは差し込み片２８を差し込み易くするものである。
【００２９】
なお、この状態の部分断面を著したのが図６で、第三片１３上部の土字状スリット２７の第三画横線部分２７ｂに蓋フラップ２０の差し込み片２８が差し込まれ、土字状スリット２７の半径Ｒの円弧状スリット２７ｃに、半径ｒの円弧状スリット部分２９が押し込まれて円弧状スリット２７ｃの裏側に入り込み嵌め殺し状態になっていることが分かる。
【００３０】
蓋フラップ２０の内側には、帽子形のミシン目またはハーフカット３０が形成されてあり、ハーフカット３０の両端は釣り針３０ａのように曲がり、帽子形の裾を結ぶラインの中間にも短いハーフカット３０ｂが形成され、帽子形ハーフカット３０の内側に吊り下げのための切り抜き孔３１が形成されている。
【００３１】
従って、帽子形ハーフカット３０の部分を切り離し、切り離した部分を帽子形の裾のラインで起こすと包装した状態で切り抜き孔３１に図示しないハンガーロッドを通して吊り下げ陳列をすることができる。
【００３２】
上述のように、蓋フラップ２０の差し込み片２８は、嵌め殺し構造になっているため、一旦差し込むと、その部分から開封ができず、開封をするときは、第一片１１上部に設けた半円形のハーフカットｋに指先を突っ込み、その部分を摘みあげると、第一片１１と蓋フラップ２０間の折り畳み線ｊ上に形成したハーフカットｌに沿って蓋フラップ２０が切り裂かれる。従って開封したことが瞬時に判明する。
【００３３】
なお、この実施例では底フラップを糊付け方式（固定式）にしているが、箱起こしをしたとき底を閉塞する底閉塞フラップとすることができる。また、上記二等辺三角形の二等辺の長さ（頂角の角度）は、電球の形状に合わせて適宜決定するものである。
【産業上の利用可能性】
【００３４】
以上説明した通りこの発明によれば電球包装用ケースの大きさを小さくすることができ、包装状態において、電球の口金部分の揺動が抑制されて電球の品質低下を防ぐことができ、蓋フラップを嵌め殺し方式としたものは、不正開封ができず開封をしたときは瞬時に判別することができ、帽子形ハーフカット部分を外すと商品を吊り下げ陳列できるようになるので極めて利用価値が高いものである。
【図面の簡単な説明】
【００３５】
【図１】（ａ）第一実施例のブランクの平面図、（ｂ）電球を収容した状態の斜視図
【図２】（ａ）第二実施例のブランクの平面図、（ｂ）電球を収容した状態の斜視図
【図３】（ａ）第三実施例のブランクの平面図、（ｂ）電球を収容した状態の斜視図
【図４】第四実施例のブランクの平面図
【図５】図４の（ａ）電球を収容した状態の斜視図、（ｂ）差し込み片を差し込んだ状態の斜視図、（ｃ）差し込み片を嵌め殺しにした状態の斜視図
【図６】図４の差し込み片を嵌め殺しにした部分の断面図
【符号の説明】
【００３６】
１０  ケース
１１  第一片
１２  第二片
１３  第三片
１４  第四片
１５  第五片
１６  第六片
１７  糊代片
１８ａ  底閉塞フラップ（糊代側）
１８ｂ  底閉塞フラップ
１８ｃ  底閉塞フラップの糊代
１９  内側フラップ
２０  蓋フラップ
２１  差し込み片
２２  半円形切り込み
２３  球面に沿うスリット
２４  二等辺台形の折り畳み線
２５  二等辺三角形の折り畳み線
２６ａ  底フラップ
２６ｂ  底フラップ
２７  土字状スリット
２８  差し込み片
２９  半径ｒのスリット部分
３０  帽子形ハーフカット
３１  吊り下げ用切抜き
【図１】
2006008143.tif 000003
【図２】
2006008143.tif 000004
【図３】
2006008143.tif 000005
【図４】
2006008143.tif 000006
【図５】
2006008143.tif 000007
【図６】
2006008143.tif 000008